(57)【要約】【課題】立設した絶縁碍子に取り付けたとき、絶縁碍子を破損することなく、確実に足場を取り付けることができるようにする。【解決手段】絶縁碍子用簡易足場装置１００を、絶縁碍子２に固定可能なベルト部材１１０と、ベルト部材１１０が取り付けられ硬質素材で形成され湾曲形成されるとともにベルト部材１１０を絶縁碍子２に巻き付けたとき絶縁碍子２の周囲に配置される２つの取付基板１３０と、取付基板１３０と絶縁碍子２との間に配置されるスペーサ部材１３５と、各取付基板１３０に取り付けられ取付基板１３０が絶縁碍子２に配置されたとき略水平方向に張り出す足場プレート部材１４０と、足場プレート部材１４０に取り付けられた足場板材１５０と、絶縁碍子２の前記ベルト部材１１０の固定個所の上方に固定される補助ベルト部材１６０と、ベルト部材１１０と前記足場プレート部材１４０とを連結する連結ベルト部材１７０と、から構成した。【選択図】図１
2008156831.tif 000002
【特許請求の範囲】
【請求項１】
立設して配置された絶縁碍子に足場部を配設する絶縁碍子用簡易足場装置であって、
柔軟性を備え、前記絶縁碍子に長さ寸法調整可能に巻き付けられて、前記絶縁碍子に固定可能なベルト部材と、
前記ベルト部材が取り付けられると共に、硬質素材で形成され、前記ベルト部材を前記絶縁碍子に巻き付けたとき絶縁碍子の周囲に配置される２つの取付基板と、
前記各取付基板に配置され前記取付基板が絶縁碍子に配置されたとき略水平方向に張り出す足場部材と、
前記絶縁碍子の前記ベルト部材の固定個所の上方に固定されると共に、前記足場部材に連結され、前記足場部材を上方に向け支持する補助固定部材と、
を備えることを特徴とする絶縁碍子用簡易足場装置。
【請求項２】
前記取付基板の絶縁碍子側には、前記絶縁碍子に弾性的に接触するスペーサ部材が配置されていることを特徴とする請求項１記載の絶縁碍子用簡易足場装置。
【請求項３】
前記足場部材は、前記取付基板に固定される足場プレート部材と、この足場プレート部材に摺動可能に配置された足場板材と、を備えていることを特徴とする請求項１または２記載の絶縁碍子用簡易足場装置。
【請求項４】
前記取付基板は、前記絶縁碍子の外形に沿うよう湾曲形成され、前記ベルト部材に沿って位置変更可能に配置されていることを特徴とする請求項１ないし３のいずれか記載の絶縁碍子用簡易足場装置。
【請求項５】
前記補助固定部材は、柔軟性を有し、前記絶縁碍子に長さ寸法調整可能に巻き付けられ、前記絶縁碍子の前記ベルト部材の固定個所の上方に固定される補助ベルト部材と、前記ベルト部材及び前記足場部材を連結する連結ベルト部材と、を備えることを特徴とする請求項１ないし４のいずれかに記載の絶縁碍子用簡易足場装置。
【請求項６】
前記連結ベルト部材には、全体の長さを調整する調整装置を備えることを特徴とする請求項５記載の絶縁碍子用簡易足場装置。
【発明の詳細な説明】
【技術分野】
【０００１】
本発明は立設される絶縁碍子に取り付けられる絶縁碍子用簡易足場装置に係り、特に変電所等の高圧回路に用いられる遮断機や断路器等の線路開閉器及びその周辺を保守・点検するための絶縁碍子用簡易足場装置に関する。
【背景技術】
【０００２】
変電所等の高圧回路に設けられる線路開閉器は、高い絶縁性が求められるため、絶縁碍子群の上に設けられ、その主回路開閉部は定期的に点検される。例えば、図７に示すように、２０００Ａ以上の大電流が流れる回路に設けられる線路開閉器１は、８００ｍｍ程度の高さの絶縁碍子２を架台３の上に二段に積み重ねて所定間隔で３行３列に配置した９本の絶縁碍子群の上に配置される。
【０００３】
このような線路開閉器は、それぞれ中央に立設された絶縁碍子２，２上に回動中心を有して両側に立設される絶縁碍子２，２に差し渡され、かつ、水平面内で回動操作される３つのブレード４を有し、各ブレード４は、架台３の下部に配設された駆動装置５によって駆動される操作ロッド６に連結された図示されていないリンク機構により、図示の開路状態と、７０°回動した閉路状態とに同期操作される。
【０００４】
このような線路開閉器１及びその周辺を保守・点検する際には、作業者７は例えば、上下の絶縁碍子２，２のフランジ状部に足７ａを掛けると共に、腰のベルトに繋いだ命綱９を上の絶縁碍子２と上フランジの間に巻き付けることにより身体を支え、９本の二段積み絶縁碍子２，２を順次移動しつつ作業を行なっていた。
【０００５】
ところで、通信用線路及び給電線用路（架空線）の張り替え、修理などの作業用として、電柱に取り付け可能な簡易足場が提案されている。
【０００６】
特許文献１には、軽量で機械的強度の高い材料で構成されており、かつ断面がほぼ角形状の本体と、前記本体の上部には電柱の足場釘に挿入可能な第１のフックと、下部には電柱の足場釘に係合可能な第２のフックと、前記本体の側面に垂直方向に設けられた足場と、前記足場近くに設けられた本体を電柱に固定するためのバンドとを具備する電力柱用携帯簡易足場が記載されている。
【０００７】
また、特許文献２には、電柱の足場ボルトを嵌挿するボルト受筒を貫着し、電柱一側面軸方向に裏面を添当する添板を設ける一方、添板の上下両端に、両端に雌雄型連結子を接続した上下締付バンドをそれぞれ取り付け、他方、添板表面に跨板を水平に棚付けした簡易電柱上足場が記載されている。
【０００８】
【特許文献１】実開平０５−１０６４２号公報
【特許文献２】実開平０６−４４９５４号公報
【発明の開示】
【発明が解決しようとする課題】
【０００９】
しかしながら、絶縁碍子は、その素材をセラミックスとして形成されているため、弾力性に乏しく硬い部材が当接したり、衝撃を与えると破損してしまうおそれがある上、その形状は大径部と小径部とが連続して全体として先細りであるという特殊なものである。
【００１０】
したがって、従来の簡易足場をそのまま使用することができず、立設した絶縁碍子に取り付けたとき、絶縁碍子を破損することなく、確実に足場を取り付けることができる装置が要望されている。
【課題を解決するための手段】
【００１１】
本発明において、前記の課題を解決するための手段は、立設して配置された絶縁碍子に足場部を配設する絶縁碍子用簡易足場装置であって、柔軟性を備え、前記絶縁碍子に長さ寸法調整可能に巻き付けられて、前記絶縁碍子に固定可能なベルト部材と、前記ベルト部材が取り付けられると共に、硬質素材で形成され、前記ベルト部材を前記絶縁碍子に巻き付けたとき絶縁碍子の周囲に配置される２つの取付基板と、前記各取付基板に配置され前記取付基板が絶縁碍子に配置されたとき略水平方向に張り出す足場部材と、
前記絶縁碍子の前記ベルト部材の固定個所の上方に固定されると共に、前記足場部材に連結され、前記足場部材を上方に向け支持する補助固定部材と、を備える絶縁碍子用簡易足場装置である。
【発明の効果】
【００１２】
本発明によれば、絶縁碍子用簡易足場装置はベルト部材と補助固定部材が立設した絶縁碍子に巻き付けられ、このベルト部材により足場プレート部材が略水平に延設される絶縁碍子に２つの取付基板が絶縁碍子に固定されると共に補助支持部材により支持されるから、立設した絶縁碍子に絶縁碍子を破損することなく、確実に足場を配置することができる。
【発明を実施するための最良の形態】
【００１３】
以下本発明に係る絶縁碍子用簡易足場装置の実施の形態について説明する。図１は本発明の実施の形態に係る絶縁碍子用簡易足場装置の構成を示す斜視図である。本例に係る絶縁碍子用簡易足場装置１００は、前記絶縁碍子２の小径部に長さ寸法調整可能に巻き付けられて絶縁碍子に固定可能なベルト部材１１０と、このベルト部材が取り付けられ、硬質素材で形成され絶縁碍子の輪郭に沿って湾曲形成されるとともにベルト部材１１０を絶縁碍子２に巻き付けたとき絶縁碍子２の周囲に配置される２つの取付基板１３０と、各取付基板１３０に取り付けられ取付基板１３０が絶縁碍子２に配置されたとき略水平方向に張り出す足場部材を構成する足場プレート部材１４０と、この足場プレート部材１４０に取り付けられ作業者７が足７ａを乗せる足場板材１５０と、を備えてなる。
【００１４】
また、本例に係る絶縁碍子用簡易足場装置１００は、絶縁碍子２の前記ベルト部材の固定個所の上方に固定される補助ベルト部材１６０と、ベルト部材と前記補助ベルト部材とを連結する連結ベルト部材１７０を備える。
【００１５】
ベルト部材１１０は、柔軟性と所定の強度を備える素材例えばナイロン布製の帯状部材であり、絶縁碍子２に巻き付けられたとき絶縁碍子２を傷つけることなく、作業者を支えることができる強度を備えるものである。
【００１６】
本例では、このベルト部材１１０は布帯１１１の端部にベルト長調整部材１２０を備えて、ベルト部材１１０を環状体として形成することができる。ベルト長調整部材１２０は、図５に示すように、略四角形状の枠部材１２１にベルト長調整部材１２０の対辺を連結する折返部材１２２を形成したものである。
【００１７】
このベルト長調整部材１２０を使用して布帯１１１の長さを調整してベルト部材１１０が形成する環状体の寸法を調整するときには、図５に示すように、布帯１１１の一端を折返部材１２２に固定しておき、布帯１１１の他端を枠部材１２１の一辺側から差し込み枠部材１２１の反対辺に掛け回して差し込み側に戻すように取り付ける。これにより、布帯１１１は長さ調整可能かつ調整された長さからずれることなく強固に固定される。
【００１８】
なお、本例では、ベルト長調整部材として上記の構成のものを使用したが、布帯１１１の長さ調整及び任意位置での固定を行なうことができれば、他の構成を備えた長さ調整装置を使用してもよい。
【００１９】
次に絶縁碍子用簡易足場装置１００の取付基板１３０、及び足場部材を構成する足場プレート部材１４０並びに足場板材１５０について説明する。図２は図１に示した絶縁碍子用簡易足場装置の取付基板と足場プレート部材と足場板材とを示す平面図、図３は図１に示した絶縁碍子用簡易足場装置の取付基板と足場プレート部材と足場板材とを示す図であり、（ａ）は図２中のＡ−Ａ線に相当する断面図、（ｂ）は図２中のＢ−Ｂ線に相当する断面図である。
【００２０】
取付基板１３０は、図２及び図３に示すように、取付対象である絶縁碍子２の外径に沿うように湾曲形成した例えばステンレス綱で構成された基部１３１を備える。この基部１３１には、前記布帯１１１を内側から外側に掛けて挿通可能に設けられた２個所のベルト挿通孔１３２と、基部１３１の表面側に設けられ布帯１１１を基部１３１に沿って挿通可能に形成された２個所のベルト保持部１３３と、が形成される。
【００２１】
取付基板１３０は、布帯１１１がベルト挿通孔１３２とベルト保持部１３３に挿通されることにより、ベルト部材１１０に取り付けられる。本例では、取付基板１３０は、前記ベルト部材１１０に沿って位置変更可能に取り付けられる。このため、さまざまな直径の絶縁碍子２に適用することができる。
【００２２】
本例では、足場プレート部材１４０は足場板材１５０と共に足場部材を構成する。足場プレート部材１４０は断面矩形のステンレス綱製の板状部材であり、前記取付基板１３０の基部１３１に溶接されて固定され、前記取付基板１３０が絶縁碍子２に配置されたとき略水平方向に張り出されるように配置されている。本例では、プレート本体１４１には、前記足場板材１５０を取り付けるスライド穴部１４２と前記連結ベルト部材１７０取付用のアイボルト１４５が挿入されるボルト挿通孔１４３が形成されている。また、プレート本体１４１の外側端部には、足場板材１５０抜け止め用の係止鍔部１４４が形成されている。
【００２３】
また、本例では、取付基板１３０の絶縁碍子２当接側には、２つのスペーサ部材１３５が取り付けられている。このスペーサ部材１３５は、絶縁碍子に弾性的かつ大きな摩擦力で接触する例えば合成ゴムで構成されており、図３（ｂ）に示すように、断面矩形のスペーサ本体１３６と、スペーサ本体１３６から突出形成され、断面略鳩尾状の取付部１３７とから構成されている。
【００２４】
また、本例では、基部１３１には、前記スペーサ部材１３５の取付部１３７が嵌合する蟻溝状の係止溝部１３４が取付基板１３０の弧に沿って設けられており、前記取付部１３７をはめ込むことにより、取付基板１３０にスペーサ部材１３５を取り付けるものとしている。これにより、劣化したスペーサ部材１３５を交換することができる。
【００２５】
本例では、絶縁碍子用簡易足場装置１００を絶縁碍子２に取り付けたとき、絶縁碍子２にはスペーサ部材１３５が接触し、取付基板１３０が絶縁碍子２に直接接触することなく、絶縁碍子２の損傷を防止する他、スペーサ部材１３５と絶縁碍子２との間の大きな摩擦力を発生し、絶縁碍子用簡易足場装置１００を絶縁碍子２に確実に固定する。
【００２６】
足場板材１５０は、前記足場プレート部材１４０のプレート本体１４１の周囲を覆う足場本体１５１と足場本体１５１の内部に固設され、前記スライド穴部１４２に挿入されるスライド棒１５２とからなる。また、本例では、足場本体１５１の上側表面には滑り止めの凹溝１５３が形成されている。
【００２７】
本例では、このような足場プレート部材１４０、足場板材１５０の構成により、足場板材１５０は足場プレート部材１４０に沿って内側にスライドさせて縮小して配置することができる。このため、絶縁碍子用簡易足場装置１００の格納時、搬送時、取付時に足場プレート部材１４０及び足場板材１５０が嵩張らずにすむ。
【００２８】
また、本例に係る絶縁碍子用簡易足場装置１００は、補助固定部材として補助ベルト部材１６０と連結ベルト部材１７０を備える。補助ベルト部材１６０は、ベルト部材１１０より短く構成され、絶縁碍子２のベルト部材１１０の固定個所の上方に固定される。補助ベルト部材１６０は、ベルト部材１６１と補助ベルト長調整部材１６２とで構成されている。本例では、ベルト部材１６１は前記布帯１１１と、補助ベルト長調整部材１６２はベルト長調整部材１２０と同一の構成を備える。
【００２９】
そして、本例に係る絶縁碍子用簡易足場装置１００では、ベルト部材１１０と補助ベルト部材１６０とは、２本の連結ベルト部材１７０で連結されている。
【００３０】
連結ベルト部材１７０は、ナイロン製の帯状部材、いわゆるナイロンスリングであり、連結ベルト部材１７０の上端には上部リング部１７１が形成されており、前記補助ベルト部材１６０が挿入されている。また、連結ベルト部材１７０の下端には下部リング部１７２が形成されており、シャックル１７３を介してフック部材１７４が取付けられている。なおフック部材１７４には、外れ止め部材１７５が設けられている。
【００３１】
本例では、フック部材１７４は前記足場プレート部材１４０のボルト挿通孔１４３にナット１４６で固定されたアイボルト１４５のリング部に係止される。
【００３２】
これにより、ベルト部材１１０に係る加重を補助ベルト部材１６０に分散することができ、絶縁碍子用簡易足場装置１００を確実に絶縁碍子２に取り付けることができる。
【００３３】
次に本例に係る絶縁碍子用簡易足場装置１００を絶縁碍子２に取り付ける場合について説明する。図６は図１に示した絶縁碍子用簡易足場装置を絶縁碍子に取り付けた状態を示す斜視図である。本例に係る絶縁碍子用簡易足場装置１００を立設された絶縁碍子２に取り付けるには、まずベルト部材１１０をベルト長調整部材１２０によってその長さを調整しつつ絶縁碍子２に強固に取り付ける。この際、ベルト部材１１０は絶縁碍子２の小径部に取り付けるものとし、取付基板１３０，１３０のスペーサ部材１３５が絶縁碍子２に接触するよう取り付ける。
【００３４】
次に補助ベルト部材１６０を前記ベルト部材１１０の取付位置より上の位置であって所定の寸法だけ離れた位置の絶縁碍子２の小径部に取り付ける。この際、ベルト部材１１０と補助ベルト部材１６０とを連結する連結ベルト部材１７０の長さを考慮し、連結ベルト部材１７０が緊張して、ベルト部材１１０の加重が補助ベルト部材１６０に伝達されるように前記取付位置を選択する。
【００３５】
なお、複数長さの連結ベルト部材１７０を準備しておき、絶縁碍子用簡易足場装置１００取り付ける絶縁碍子２の状態により、連結ベルト部材１７０を変更するようにしてもよい。また、補助ベルト部材１６０には２本の連結ベルト部材１７０が取り付けられた状態で絶縁碍子２に取り付けられる。
【００３６】
そして、足場プレート部材１４０から足場板材１５０を引き出して、アイボルト１４５をボルト挿通孔１４３に挿入してナット１４６で固定し、前記連結ベルト部材１７０に取り付けられたフック部材１７４をアイボルト１４５に引っかける。
【００３７】
以上の手順により、絶縁碍子２に絶縁碍子用簡易足場装置１００を取り付けることができる。なお、ベルト部材１１０、補助ベルト部材１６０の取付順序や、足場プレート部材１４０から足場板材１５０を引き出すタイミングは適宜変更することができる。
【００３８】
以上のように、本例に係る絶縁碍子用簡易足場装置１００によれば、立設した絶縁碍子に、絶縁碍子を破損することなく、確実に足場を配置することができる。
【００３９】
なお、本発明において、前記連結ベルト部材１７０は一定長のものあるいは、複数の長さのものを選択して使用する場合について説明したが、連結ベルト部材１７０に、例えば上記ベルト長調整部材と同じ構造あるいはベルト巻き取り装置のような公知の長さ調整装置を設けることができ、この場合にはベルト部材１１０及び補助ベルト部材１６０を絶縁碍子２に取り付けた後、連結ベルト部材１７０の長さを調整することができるため１種類の連結ベルト部材１７０で各種の状況に対応することができる他、連結ベルト部材による足場部材の支持力を調整することができる。
【図面の簡単な説明】
【００４０】
【図１】本発明の実施の形態に係る絶縁碍子用簡易足場装置の構成を示す斜視図である。
【図２】図１に示した絶縁碍子用簡易足場装置の取付基板と足場プレート部材と足場板材とを示す平面図である。
【図３】図１に示した絶縁碍子用簡易足場装置の取付基板と足場プレート部材と足場板材とを示す図であり、（ａ）は図２中のＡ−Ａ線に相当する断面図、（ｂ）は図２中のＢ−Ｂ線に相当する断面図である。
【図４】図１に示した絶縁碍子用簡易足場装置の連結ベルト部材を示す斜視図である。
【図５】図１に示した絶縁碍子用簡易足場装置のベルト部材と長さ調整部材を示す斜視図である。
【図６】図１に示した絶縁碍子用簡易足場装置を絶縁碍子に取り付けた状態を示す斜視図である。
【図７】従来の絶縁碍子が取り付けられた装置のメンテナンス作業を示す説明図である。
【符号の説明】
【００４１】
２      絶縁碍子
１００  絶縁碍子用簡易足場装置
１１０  ベルト部材
１２０  ベルト長調整部材
１３０  取付基板
１３５  スペーサ部材
１４０  足場プレート部材（足場部材）
１５０  足場板材（足場部材）
１６０  補助ベルト部材（補助固定部材）
１７０  連結ベルト部材（補助固定部材）
【図１】
2008156831.tif 000003
【図２】
2008156831.tif 000004
【図３】
2008156831.tif 000005
【図４】
2008156831.tif 000006
【図５】
2008156831.tif 000007
【図６】
2008156831.tif 000008
【図７】
2008156831.tif 000009